(57)【特許請求の範囲】
【請求項１】
前面と、
後部面と、
頂部と、
底部と、
本体の頂部から底部に本体の前面に形成された外側ラックであって、
前面、および
該外側ラックの前面の端から端まで形成され、一定の幅を有する開口部を有する外側ラックと、
本体の頂部から底部に本体の前面に、該外側ラックの中に形成された内側ラックであって、
前面および
該内側ラックの前面の端から端まで形成され、一定の幅を有する開口部を有する内側ラックを有する
本体と、
該本体の頂部に取り外し可能に接続されたつり下げパネルであって、該つり下げパネルを貫通する形成されたつり下げ穴を有するつり下げパネルを有する
基板と、
該基板の前記本体の前面に設置された２つの締め付け要素であって、それぞれが、
前記基板の前記本体の前面に設置された締め付けパネルであって、
前面と、
一定の間隔で該締め付けパネルの前面に形成され、異なるサイズを有する複数の締め付け爪と、
該締め付け爪の間で、この締め付けパネルの前面に形成され、他方の締め付けパネルの挿入穴と位置合わせされる複数の挿入穴を有する締め付けパネルを有する
２つの締め付け要素と、
前記本体の前記ラックの間に可動式に設置された複数の位置決め要素であり、それぞれが、
前記本体の前記外側ラックに可動式に設置された底部板であり、
一定の幅と、
この底部板を貫通するように形成され、前記内側ラックの開口部を介して前記内側ラックと通じている底部穴を有する底部板と、
該底部板より下で前記本体の前記内側ラックに可動式に設置された固定板であって、
一定の幅と、
この固定板を貫通するように形成され、前記内側ラックの開口部を介して前記底部板の底部穴と位置合わせされる固定穴を有する固定板と、
前記外側ラックの開口部を介して前記底部板の底部穴を貫通するように形成されるねじボルトであって、前記内側ラックの開口部を介して該固定板の固定穴にしっかりと設置されることで、前記底部板を前記ラックの間で前記固定板にしっかりと接続するねじボルトと、
前記底部板に形成され、そこから突出し、前記外側ラックの開口部を介して前記外側ラックから外に延びる弾性アームであって、
前記底部板上に湾曲するように形成され、そこから突出し、前記外側ラックの開口部を介して前記外側ラックから外に延びる自由端を有する湾曲部分と、
この弾性アームの該湾曲した部分の自由端に形成され、そこから突出することで手工具に当接する制限部分を有する弾性アームを有する
複数の位置決め要素を備える手工具フレーム。
【請求項２】
前面と、
後部面と、
頂部と、
底部と、
本体の頂部から底部に本体の前面に形成された外側ラックであって、
前面、および
該外側ラックの前面の端から端まで形成され、一定の幅を有する開口部を有する外側ラックと、
本体の頂部から底部に本体の前面に、該外側ラックの中に形成された内側ラックであって、
前面および
該内側ラックの前面の端から端まで形成され、一定の幅を有する開口部を有する内側ラックを有する
本体と、
該本体の頂部に取り外し可能に接続されたつり下げパネルであって、該つり下げパネルを貫通する形成されたつり下げ穴を有するつり下げパネルを有する
基板と、
該基板の前記本体の前面に設置された２つの締め付け要素であって、それぞれが、
前記基板の前記本体の前面に設置された締め付けパネルであって、
前面と、
一定の間隔で該締め付けパネルの前面に形成され、異なるサイズを有する複数の締め付け爪と、
該締め付け爪の間で、この締め付けパネルの前面に形成され、他方の締め付けパネルの挿入穴と位置合わせされる複数の挿入穴を有する締め付けパネルを有する
２つの締め付け要素と、
前記本体の前記ラックの間に可動式に設置された位置決め要素であり、
前記本体の前記外側ラックに可動式に設置された底部板であって、
一定の幅と、
底部端部と、      この底部板の該底部端部付近で底部板を貫通するように形成され、前記内側ラックの開口部を介して前記内側ラックと通じている底部穴を有する底部板と、
該底部板より下で前記本体の前記内側ラックに可動式に設置された固定板であって、
一定の幅と、
この固定板を貫通するように形成され、前記内側ラックの開口部を介して前記底部板の底部穴と位置合わせされる固定穴を有する固定板と、
前記外側ラックの開口部を介して前記底部板の底部穴を貫通するように形成されるねじボルトであって、前記内側ラックの開口部を介して該固定板の固定穴にしっかりと設置されることで、前記底部板を前記ラックの間で前記固定板にしっかりと接続するねじボルトと、
一定の間隔で前記底部板に形成され、そこから突出し、前記外側ラックの開口部を介して前記外側ラックから外に延びる弾性アームであって、それぞれが、
前記底部板上に湾曲するように形成され、そこから突出し、前記外側ラックの開口部を介して前記外側ラックから外に延びる自由端を有する湾曲部分と、
この弾性アームの該湾曲した部分の自由端に形成され、そこから突出することで手工具に当接する制限部分を有する弾性アームを有する
複数の位置決め要素を備える手工具フレーム。
【請求項３】
前記本体が、
前記外側ラックに並んで前記本体の前面に形成され、前記外側ラックと平行している２つの前方設置凹部と、
前記本体の後部面に形成され、該前方設置凹部に対応する２つの後方設置凹部と、
前記本体の頂部付近で前記本体の側部を貫通するように形成され、前記前方設置凹部および後方設置凹部とそれぞれ通じている２つの通過穴を有しており、
前記つり下げパネルが、
底部面と、
前記つり下げパネルの該底部面に一定の間隔で形成され、そこから突出し、前記本体の前記後方設置凹部にそれぞれ設置される２つの接続ブロックであって、それぞれが、この接続ブロックを貫通するように形成された接続穴を有し、前記対応する後方設置凹部と通じている前記通過穴と位置合わせされる２つの接続ブロックを有しており、
前記締め付け要素が、前記外側ラックに並んで前記基板の前記本体に取り外し可能に設置され、それぞれが、
前記前方設置凹部の一方に設置された接続パネルであって、
頂部と、
この接続パネルの該頂部付近に接続パネルを貫通するように形成され、前記対応する前方設置凹部と通じている前記通過穴と位置合わせされる貫通穴を有する接続パネルと、
この接続パネルの該貫通穴と、前記対応する前方設置凹部の前記通過穴と、前記対応する接続ブロックの前記接続穴を貫通するように設置されることで、この接続パネルと、前記つり下げパネルの前記接続ブロックを前記本体に接続する締め具を有しており、
前記締め付けパネルのそれぞれ一方が、対応する接続パネルに直交するように形成され、そこから突出し、前記締め付けパネルのそれぞれの前面が、前記対応する前方設置凹部から外に延びる、請求項１に記載の手工具フレーム。
【請求項４】
前記本体が、
前記外側ラックに並んで前記本体の前面に形成され、前記外側ラックと平行している２つの前方設置凹部と、
前記本体の後部面に形成され、該前方設置凹部に対応する２つの後方設置凹部と、
前記本体の頂部および底部付近で前記本体の側部を貫通するように形成され、前記前方設置凹部および後方設置凹部とそれぞれ通じている複数の通過穴を有しており、
前記つり下げパネルが、
底部面と、
前記つり下げパネルの該底部面に一定の間隔で形成され、そこから突出し、前記本体の前記後方設置凹部にそれぞれ設置される２つの接続ブロックであって、それぞれが、この接続ブロックを貫通するように形成された接続穴を有し、前記本体の頂部付近で前記本体を貫通するように形成され、前記対応する後方設置凹部と通じている前記通過穴と位置合わせされる２つの接続ブロックを有しており、
前記締め付け要素が、前記外側ラックに並んで前記基板の前記本体に取り外し可能に設置され、それぞれが、
前記前方設置凹部の一方に設置された接続パネルであって、
底部と、
この接続パネルの該底部付近で接続パネルを貫通するように形成され、前記本体の底部付近で前記本体を貫通するように形成され、前記対応する前方設置凹部と通じている前記通過穴と位置合わせされる貫通穴を有する接続パネルと、
２つの締め具であって、一方の締め具が、前記本体の頂部付近で前記本体を貫通するように形成された、前記対応する前方設置凹部の前記通過穴と、前記対応する接続ブロックの前記接続穴を貫通するように設置されることで、前記つり下げパネルの前記接続ブロックを前記本体に接続し、他方の締め具が、前記接続パネルの前記貫通穴と、前記本体の底部付近で前記本体を貫通するように形成された前記対応する通過穴を貫通するように設置されることで、前記接続パネルを前記本体に接続する２つの締め具を有しており、
前記締め付けパネルのそれぞれ一方が、対応する接続パネルに直交するように形成され、そこから突出し、前記締め付けパネルのそれぞれ一方の前面が、前記対応する前方設置凹部から外に延びる、請求項２に記載の手工具フレーム。
【請求項５】
前記少なくとも１つの位置決め要素のそれぞれ一方の前記底部板の幅が、前記外側ラックの前記開口部の幅より広いことにより、前記底部板が、前記外側ラックの前記開口部を介して前記外側ラックから切り離されないようにし、
前記少なくとも１つの位置決め要素のそれぞれ一方の前記固定板の幅が、前記内側ラックの前記開口部の幅より広いことにより、前記固定板が、前記内側ラックの前記開口部を介して前記内側ラックから切り離されないようにしており、
前記少なくとも１つの位置決め要素のそれぞれ一方の前記底部板が四辺形であって、
前記少なくとも１つの位置決め要素のそれぞれ一方の前記固定板が四辺形である、請求項１、２、３または４に記載の手工具フレーム。
【発明の詳細な説明】
【技術分野】
【０００１】
本発明は工具フレームに関し、より詳細には異なるサイズの手工具を簡便に保持するのに使用することができる手工具フレームに関する。
【背景技術】
【０００２】
従来の手工具フレームは、例えばレンチなどの工具を保持または保管するのに使用されており、基板と、２つの締め付けパネルと、複数の押圧バーを有する。基板は、頂部と、前面と、つり下げ穴を有する。つり下げ穴は、基板の頂部付近で基板を貫通するように形成される。締め付けパネルは、つり下げ穴より下に一定の間隔で基板の前面に形成され、そこから突出し、互いに平行である。各々の締め付けパネルは、前面と、複数の締め付け爪と、複数の挿入穴を有する。
【０００３】
締め付け爪は、締め付けパネルの前面に一定の間隔で形成され、異なるサイズを有する。挿入穴は、締め付け爪の間で締め付けパネルの前面に形成され、異なるサイズを有する。締め付けパネルの挿入穴は、互いに位置が合わされている。押圧バーは、締め付けパネルの間で一定の間隔で基板の前面に形成され、そこから突出しており、締め付けパネルの挿入穴と位置合わせされている。押圧バーのサイズは、締め付けパネルの挿入穴のサイズに一致している。
【０００４】
使用中、手工具の２つの端部は、隣接する締め付け爪の間で従来の手工具フレームの締め付けパネルの２つの挿入穴にそれぞれ設置され、締め付けパネルの対応する挿入穴の間に形成された押圧バーの一方を押す。
【０００５】
しかしながら締め付けパネルの締め付け爪は、固有のサイズを有しており、押圧バーは、基板上に固定されて形成されることで、締め付けパネルの固有のサイズの挿入穴に適合する。従来の手工具フレームの締め付けパネルの挿入穴を利用して、特定のサイズの手工具を保持することはできるが、異なるサイズの手工具に適合させることは不可能である。このときユーザは、手工具を保持または保管するために、多様なそれぞれ異なるサイズの複数の従来の手工具フレームを購入する必要があり、これは使用するのに不便であり、従来の手工具フレームの実用性を制限することになる。
【０００６】
このような欠点を克服するために、本発明には、上記に挙げた問題を軽減する手工具フレームを提供する性質がある。
【発明の概要】
【発明が解決しようとする課題】
【０００７】
本発明の主たる目的は、異なるサイズの手工具を簡便に保持するのに使用することができる、手工具フレームを提供することである。
【課題を解決するための手段】
【０００８】
本発明による手工具フレームは、基板と、２つの締め付け要素と、少なくとも１つの位置決め要素を有する。基板は、本体と、つり下げパネルを有する。締め付け要素は、基板上に設置され、各々の締め付け要素は、締め付けパネルを有する。各々の締め付けパネルは、複数の締め付け爪と、複数の挿入穴を有する。少なくとも１つの位置決め要素は、締め付け要素の間で基板に設置され、少なくとも１つの弾性アームを有する。少なくとも１つの弾性アームは、本体上に形成され、そこから突出しており、湾曲した部分と、制限する部分を有する。制限部分は、湾曲した部分の上に形成され、そこから突出することで、手工具に当接する。
【０００９】
本発明の他の目的、利点および新規の特徴は、以下の詳細な記載を添付の図面と併せて利用したとき、より明らかになるであろう。
【図面の簡単な説明】
【００１０】
【図１】本発明による手工具フレームの第１実施形態の斜視図である。
【図２】図１の手工具フレームの展開斜視図である。
【図３】図１の手工具フレームの別の展開斜視図である。
【図４】図１の手工具フレームの位置決め要素の拡大した展開斜視図である。
【図５】図１の手工具フレームの前面図である。
【図６】線６−６に沿った図５の手工具フレームの部分的な断面の拡大側面図である。
【図７】手工具フレームによって固定された手工具を示す、図１の手工具フレームの動作中の斜視図である。
【図８】図７の手工具フレームの部分的な断面の動作中の側面図である。
【図９】線９−９に沿った図６の手工具フレームの拡大した動作中の側面図である。
【図１０】線９−９に沿った図６の手工具フレームの別の拡大した動作中の側面図である。
【図１１】本発明による手工具フレームの第２の実施形態の斜視図である。
【図１２】図１１の手工具フレームの拡大した斜視図である。
【図１３】図１１の手工具フレームの別の拡大斜視図である。
【図１４】図１１の手工具フレームの前面図である。
【図１５】線１５−１５に沿った図１４の手工具フレームの部分的な断面の拡大した側面図である。
【図１６】手工具フレームによって固定された手工具を示す、図１１の手工具フレームの動作中の斜視図である。
【発明を実施するための形態】
【００１１】
図１、７、１１および１６を参照すると、例えばレンチ５０などの手工具を保持することを目的とした本発明による手工具フレームは、基板１０、１０’と、２つの締め付け要素２０、２０’と、少なくとも１つの位置決め要素３０、３０’を有する。
【００１２】
基板１０、１０’は、本体１１、１１’と、つり下げパネル１２、１２’を有する。本体１１、１１’は、矩形であり、前面、後部面、頂部および底部を有する。本体１１、１１’はさらに、外側ラック１３、１３’と、内側ラック１４、１４’と、２つの前方設置凹部１５、１５’と、２つの後方設置凹部１６、１６’と、少なくとも２つの通過穴１７、１７’を有する。外側ラック１３、１３’は、本体１１、１１’の前面に本体１１、１１’の頂部から底部まで形成されており、前面と開口部を有する。外側ラック１３、１３’の開口部は、外側ラック１３、１３’の前面の端から端まで形成されており、図６に示される幅（Ａ）を有する。
【００１３】
内側ラック１４、１４’は、本体１１、１１’の前面に本体１１、１１’の頂部から底部まで形成されており、外側ラック１３、１３’の中に位置しており、前面と開口部を有する。内側ラック１４、１４’の開口は、内側ラック１４、１４’の前面の端から端まで形成されており、図６に示される幅（Ｃ）を有する。前方設置凹部１５、１５’が、外側ラック１３、１３と並んで本体１１、１１’の前面に形成され、外側ラック１３、１３と平行している。後方設置凹部１６、１６’が、本体１１、１１’の後部面に形成され、前方設置凹部１５、１５’とそれぞれ対応している。図２を参照すると、本体１１は、２つの通過穴１７を有しており、この穴は、本体１１の側部を貫通するように本体の頂部付近に形成され、前方設置凹部１５および後方設置凹部１６とそれぞれ通じている。図１２を参照すると、本体１１’は、本体１１’の側部を貫通するように本体１１’の頂部および底部付近に形成された複数の通過穴１７’を有しており、この穴は、前方設置凹部１５’および後方設置凹部１６’とそれぞれ通じている。
【００１４】
つり下げパネル１２、１２’が、本体１１、１１’の頂部に接続され、このパネルは、つり下げパネル１２、１２’を貫通するように形成されたつり下げ穴１２１、１２１’を有する。図２および１２を参照すると、つり下げパネル１２、１２’は、本体１１、１１’の頂部に取り外し可能に接続されており、さらに底部面と、２つの接続ブロック１２２、１２２’を有している。接続ブロック１２２、１２２’は、つり下げパネル１２、１２’の底面に一定の間隔で形成され、そこから突出しており、本体１１、１１’の後方設置凹部１６、１６’にそれぞれ設置される。各々の接続ブロック１２２、１２２’は、接続ブロック１２２、１２２’を貫通するように形成された接続穴１２３、１２３’を有しており、この穴は、本体１１、１１’を貫通するように形成された通過穴１７、１７’と位置合わせされ、本体１１、１１’の頂部付近で対応する後方設置凹部１６、１６’と通じている。
【００１５】
図２、３、１２および１３を参照すると、締め付け要素２０、２０’は、外側ラック１３、１３’と並んで基板１０、１０’の本体１１、１１’に取り外し可能に設置されており、各々の締め付け要素２０、２０’は、接続パネル２２、２２’と、少なくとも１つの締め具２３、２３’と、締め付けパネル２１、２１’を有する。接続パネル２２、２２’は、一方の前方設置凹部１５、１５’に設置され、頂部、底部および貫通穴２２１、２２１’を有する。図２および図３を参照すると、貫通穴２２１は、接続パネル２２の頂部付近で接続パネル２２を貫通するように形成されており、本体１１の頂部付近で本体１１を貫通するように形成された通過穴１７と位置合わせされ、対応する前方設置凹部１５と通じている。図１２および図１３を参照すると、貫通穴２２１’は、接続パネル２２’の底部付近で接続パネル２２’を貫通するように形成され、本体１１’の底部付近で本体１１’を貫通するように形成された通過穴１７’と位置合わせされ、対応する前方設置凹部１５’と通じている。
【００１６】
図２および図３を参照すると、締め付け要素２０は、接続パネル２２の貫通穴２２１と、対応する通過穴１７と、対応する接続ブロック１２２の接続穴１２３を貫通するように設置された締め具２３を有することで、接続パネル２２と接続ブロック１２２を本体１１に接続する。次いでつり下げパネル１２が、本体１１の頂部にしっかりと接続され、締め付け要素２０の接続パネル２２が、本体１１の前面にしっかりと設置される。
【００１７】
図１２および図１３を参照すると、各々の締め付け要素２０’は、２つの締め具２３’を有しており、締め具２３’の一方が、接続パネル２２’の貫通穴２２１’と、本体１１’の底部付近で本体１１’を貫通するように形成された対応する通過穴１７’を貫通するように設置されることで、接続パネル２２’を本体１１’に接続する。さらに締め付け要素２０’の他方の締め具２３’は、本体１１’の頂部付近で本体１１’を貫通するように形成された対応する通過穴１７’と、対応する接続ブロック１２２’の接続穴１２３’を貫通するように設置されることで、接続パネル２２’と接続ブロック１２２’を本体１１’に接続する。次いでつり下げパネル１２’が、本体１１’の頂部にしっかりと接続され、締め付け要素２０’の接続パネル２２’が、本体１１’の前面にしっかりと設置される。
【００１８】
締め付けパネル２１、２１’は、接続パネル２２、２２’に直交するように形成され、そこから突出しており、対応する前方設置凹部１５、１５’から外に延びている。図１、２、１１および１２を参照すると、各々の締め付けパネル２１、２１’は、前面、複数の締め付け爪２４、２４’および複数の挿入穴２５、２５’を有する。締め付けパネル２１の前面は、対応する前方設置凹部１５から外に延びている。締め付け爪２４、２４’は、締め付けパネル２１、２１’の前面に一定の間隔で形成され、異なるサイズを有する。好ましくは、手工具フレームの第１実施形態の締め付け爪２４は、図１に示されるように、一定の間隔で締め付けパネル２１の前面に形成され、そこから下向きに突出しており、手工具フレームの第２の実施形態の締め付け爪２４’は、図１１に示されるように、一定の間隔で締め付けパネル２１’の前面に形成され、そこから上向きに突出している。
【００１９】
挿入穴２５、２５’が、締め付け爪２４、２４’の間で締め付けパネル２１、２１’の前面に形成される。締め付けパネル２１、２１’の挿入穴２５、２５’は、互いに位置合わせされる。
【００２０】
図４、５および６を参照すると、本発明による手工具フレームの第１実施形態は、複数の位置決め要素３０を有しており、各々の位置決め要素３０は、本体１１のラック１３、１４の間に可動式に設置されており、底部板３１と、固定板３２と、ねじボルト３３と、弾性アーム３４を有する。底部板３１は四辺形であり、本体１１の外側ラック１３に可動式に設置され、一定の幅（Ｂ）であり、底部穴３１１を有する。図６を参照すると、底部板３１の幅（Ｂ）は、外側ラック１３の開口部の幅（Ａ）より広い。このとき底部板３１を、外側ラック１３の開口部を介して外側ラック１３から切り離すことはできない。底部穴３１１は、底部板３１を貫通するように形成され、内側ラック１４の開口部を介して内側ラック１４と通じている。
【００２１】
固定板３２は四辺形であり、底部板３１より下で本体１１の内側ラック１４に可動式に設置され、一定の幅（Ｄ）であり、固定穴３２１を有する。図６を参照すると、固定板３２の幅（Ｄ）は、内側ラック１４の開口部の幅（Ｃ）より広い。このとき固定板３２を、内側ラック１４の開口部を介して外側ラック１４から切り離すことはできない。底部穴３２１は、固定板３２を貫通するように形成され、内側ラック１４の開口部を介して底部板３１の底部穴３１１と通じている。ねじボルト３３が、外側ラック１３の開口部を介して底部板３１の底部穴３１１を貫通するように設置され、内側ラック１４の開口部を介して固定板３２の固定穴３２１にしっかりと設置されることで、底部板３１をラック１３、１４の間で固定板３２にしっかりと接続する。
【００２２】
図４を参照すると、弾性アーム３４は、底部板３１上に形成され、そこから突出しており、外側ラック１３の開口部を介して外側ラック１３から外に延びており、湾曲した部分３４１と制限する部分３４２を有する。湾曲した部分３４１は、底部板３１上に湾曲するように形成され、そこから下向きに突出しており、外側ラック１３の開口部を介して外側ラック１３から外に延びる自由端を有する。制限部分３４２は、弾性アーム３４の湾曲部分３４１の自由端に形成され、そこから突出することでレンチ５０に当接する。
【００２３】
図１１、１２および１３を参照すると、本発明の手工具フレームの第２の実施形態は、位置決め要素３０’を有しており、この位置決め要素３０’は、本体１１’のラック１３’１４’の間に可動式に設置され、底部板３１’と、固定板３２’と、ねじボルト３３’と、複数の弾性アーム３４’を有する。底部板３１’は細長く、本体１１の外側ラック１３’に可動式に設置され、一定の幅であり、底部端部と、底部穴３１１を有する。底部板３１’の幅は、本発明による手工具フレームの第１実施形態の位置決め要素３０の底部板３１の幅（Ｂ）と同じである。これに加えて底部板３１’の幅は、外側ラック１３’の開口部の幅（Ａ）より広い。このとき底部板３１’を、外側ラック１３’の開口部を介して外側ラック１３’から切り離すことはできない。底部穴３１１’は、底部板３１’の底端部付近で底部板３１’を貫通するように形成され、内側ラック１４’の開口部を介して内側ラック１４’と通じている。
【００２４】
固定板３２’は四辺形であり、底部板３１’より下で本体１１’の内側ラック１４’に可動式に設置され、一定の幅であり、固定穴３２１’を有する。固定板３２’の幅は、本発明による手工具フレームの第１実施形態の位置決め要素３０の固定板３２の幅（Ｄ）と同じである。これに加えて、固定板３２’の幅は、内側ラック１４’の開口部の幅（Ｃ）より広い。このとき固定板３２’を、内側ラック１４’の開口部を介して内側ラック１４’から切り離すことはできない。固定穴３２１’が、固定板３２’を貫通するように形成され、内側ラック１４’の開口部を介して底部板３１’の底部穴３１１’と位置合わせされる。ねじボルト３３’が、外側ラック１３’の開口部を介して底部板３１’の底部穴３１１’を貫通するように設置され、内側ラック１４’の開口部を介して固定板３２’の固定穴３２１’にしっかりと設置されることで、底部板３１’をラック１３’、１４’の間で固定板３２’にしっかりと接続する。
【００２５】
図１５を参照すると、弾性アーム３４’が一定の間隔で底部板３１に形成され、そこから突出しており、外側ラック１３’の開口部を介して外側ラック１３’から外に延びており、各々の弾性アーム３４’は、湾曲した部分３４１と、制限する部分３４２’を有する。湾曲した部分３４１’は、底部板３１’上に湾曲するように形成され、そこから上向きに突出しており、外側ラック１３’の開口部を介して外側ラック１３’から外に延びる自由端を有する。制限部分３４２’は、弾性アーム３４’の湾曲部分３４１’の自由端に形成され、そこから突出することでレンチ５０に当接する。
【００２６】
図７および８を参照すると、本発明による手工具フレームの第１の実施形態を利用して手工具を保持または保管する際、レンチ５０の２つの端部は、締め付け要素２０の締め付けパネル２１の２つの挿入穴２５にそれぞれ設置される。図４および６を参照すると、１つの位置決め要素３０のねじボルト３３を緩めて、対応する底部板３１、対応する固定板３２および内側ラック１４の間に隙間を形成する。このとき底部板３１と固定板３２を、外側ラック１３と内側ラック１４に対してそれぞれ移動させることで、対応する位置決め要素３０の弾性アーム３４の制限部分３４２が、レンチ５０に当接することが可能になる。弾性アーム３４がレンチ５０に当接した後、ねじボルト３３を締めることにより、底部板３１と固定板３２を内側ラック１４に対して押しつけることができ、これにより対応する位置決め要素３０を本体１１にしっかりと設置することでレンチ５０に当接することができる。その後レンチ５０を、対応する位置決め要素３０および対応する締め付け爪２４によって、対応する挿入穴２５の間で手工具フレームに対してしっかりとかつ簡便に保持することができる。
【００２７】
これに加えて図９および１０を参照すると、異なるサイズのレンチ５０が本発明による第１実施形態の手工具フレームに設置される場合、対応するねじボルト３３を緩め、板３１、３２を本体１１のラック１３、１４に対して移動させることによって、各々の位置決め要素３０の弾性アーム３４の位置を調節することで、弾性アーム３４が対応するレンチ５０により近づくように移動し、このレンチ５０に当接することができる。さらに弾性アーム３４の湾曲部分３４１が弾性式に変形することで、対応するレンチ５０に密接に当接することができる。このときサイズの異なるレンチ５０を、締め付けパネル２１の締め付け爪２４の間および位置決め要素３０の間で、挿入穴２５の中で手工具フレームに対してしっかりと保持することができる。
【００２８】
図１５および１６を参照すると、本発明による手工具フレームの第２の実施形態を使用して異なるサイズのレンチ５０を保持または保管する場合、レンチ５０の端部は、締め付け要素２０’の締め付けパネル２１’の２つの挿入穴２５’にそれぞれ設置される。位置決め要素３０’のねじボルト３３’を緩めて、底部板３１’、固定板３２’および内側ラック１４’の間に隙間を形成する。このとき底部板３１’と固定板３２’を、外側ラック１３’と内側ラック１４’に対してそれぞれ移動させることで、位置決め要素３０’の弾性アーム３４’の制限部分３４２’がそれぞれ、レンチ５０に当接することが可能になる。弾性アーム３４’がレンチ５０に当接した後、ねじボルト３３’を締めることにより、底部板３１’と固定板３２’を内側ラック１４’に対して押しつけることができ、これにより位置決め要素３０’を本体１１’にしっかりと設置することでレンチ５０に当接することができる。その後レンチ５０を、位置決め要素３０’および対応する締め付け爪２４’によって、対応する挿入穴２５’の間で、手工具フレームに対してしっかりとかつ簡便に保持することができる。
【００２９】
上記に述べた主張によると、位置決め要素３０、３０’の弾性アーム３４、３４’には、弾性変形する特徴があり、これを利用して異なるサイズの手工具を、締め付け爪２４、２４’の間および弾性アーム３４、３４’の間で、挿入穴２５、２５’の中で手工具フレームに対してしっかりと保持することができる。さらに位置決め要素３０、３０’は、基板１０、１０’の本体１１、１１’に対して移動させることができ、これにより位置決め要素３０、３０’の弾性アーム３４、３４’が、手工具に密接に当接することが可能になるため、手工具に好ましい結合作用を与えることができる。
【００３０】
これに加えて位置決め要素３０、３０’の底部板３１、３１’および固定板３２、３２’は、四辺形または細長くなっており、これにより、回転させずに底部板３１、３１’および固定板３２、３２’をそれぞれ、外側ラック１３、１３’および内側ラック１４、１４’に対して移動させることができる。このとき位置決め要素３０、３０’の弾性アーム３４、３４’は、同一方向で手工具に当接することができる。追加として、各々の位置決め要素３０、３０’は、同一サイズであり、これにより位置決め要素３０、３０’の製造を簡素化することができる。
【符号の説明】
【００３１】
１０、１０’  基板
１１、１１’  本体
１２、１２’  つり下げパネル
１３、１３’  外側ラック
１４、１４’  内側ラック
１５、１５’  前方設置凹部
１６、１６’  後方設置凹部
１７、１７’  通過穴
２０、２０’  締め付け要素
２１、２１’  締め付けパネル
２２、２２’  接続パネル
２３、２３’  締め具
２４、２４’  締め付け爪
２５、２５’  挿入穴
３０、３０’  位置決め要素
３１、３１’  底部板
３２、３２’  固定板
３３、３３’  ねじボルト
３４、３４’  弾性アーム
５０  レンチ
１２１、１２１’  つり下げ穴
１２２、１２２’  つり下げブロック
１２３、１２３’  接続穴
２２１、２２１’  貫通穴
３１１、３１１’  底部穴
３２１、３２１’  固定穴
３４１、３４１’  湾曲した部分
３４２、３４２’  制限する部分
Ａ  外側ラックの開口部の幅
Ｂ  底部板の幅
Ｃ  内側ラックの開口部の幅
Ｄ  固定板の幅
【要約】      （修正有）【課題】異なるサイズの手工具を簡便に保持するのに使用することができる、手工具フレーム【解決手段】手工具フレームは、基板１０と、２つの締め付け要素２０と、少なくとも１つの位置決め要素３０を有する。基板は、本体１１とつり下げパネル１２を有する。締め付け要素は、基板上に設置されており、それぞれが締め付けパネル２１を有する。各々の締め付けパネルは、複数の締め付け爪２４と、複数の挿入穴２５を有する。この少なくとも１つの要素が、締め付け要素の間で基板に設置され、少なくとも１つの弾性アーム３４を有する。この少なくとも１つの弾性アームは、本体上に形成され、そこから突出しており、湾曲した部分３４１と、湾曲した部分に形成され手工具に当接する制限する部分３４２を有する。【選択図】図１【図１】
0005447891.tif 000002
【図２】
0005447891.tif 000003
【図３】
0005447891.tif 000004
【図４】
0005447891.tif 000005
【図５】
0005447891.tif 000006
【図６】
0005447891.tif 000007
【図７】
0005447891.tif 000008
【図８】
0005447891.tif 000009
【図９】
0005447891.tif 000010
【図１０】
0005447891.tif 000011
【図１１】
0005447891.tif 000012
【図１２】
0005447891.tif 000013
【図１３】
0005447891.tif 000014
【図１４】
0005447891.tif 000015
【図１５】
0005447891.tif 000016
【図１６】
0005447891.tif 000017